(57)【要約】【課題】  ＰＤ等の受光素子の出力（モニタ電流）のばらつきの有無に関係なく、常に高品質の画像を得られるようにする。【解決手段】  ＣＰＵ３１は、潜像形成条件制御（温度検知素子３３による検知温度の変化に対応して、可視像として形成される濃度制御用の基準パッチの濃度センサ３４を用いて測定した濃度に応じて次回の可視像形成時に所望の濃度を得るように静電潜像の形成条件を設定する制御）の実行時に、温度検知素子３３の出力に応じて作成されるフィードバック制御（ＬＤ１１に制御信号に合わせた電流を与えることで変調を行うと共にＬＤ１１の光出力量をＰＤ１３により検知してその光出力量を制御するＡＰＣ動作）の補正値を用いて、ＬＤ１１およびＰＤ１３の温度変化によるそのＬＤ１１の光出力量の変化を補正する。【選択図】        図３
2008273094.tif 000002
【特許請求の範囲】
【請求項１】
像担持体に光ビームを照射し、該像担持体に静電潜像を形成し、該静電潜像を現像して得られる可視像を記録材に転写・定着して所望の記録画像を得る画像形成装置において、
前記光ビームを照射する発光素子と、
該発光素子の光出力量を検知する受光素子と、
当該画像形成装置内の温度を検知する温度検知手段と、
前記可視像の濃度を測定する濃度センサと、
前記発光素子に制御信号に合わせた電流を与えることで変調を行うと共に、前記発光素子の光出力量を前記受光素子により検知して該発光素子の光出力量を制御するフィードバック制御を行う光量制御手段と、
前記温度検知手段による検知温度の変化に対応して、前記可視像として形成される濃度制御用の基準パッチの前記濃度センサを用いて測定した濃度に応じて次回の可視像形成時に所望の濃度を得るように前記静電潜像の形成条件を設定する制御を行う潜像形成条件制御手段とを設け、
前記光量制御手段は、前記潜像形成条件制御手段による制御の実行時に、前記温度検知手段の出力に応じて作成される前記フィードバック制御の補正値を用いて、前記発光素子および前記受光素子の温度変化による該発光素子の光出力量の変化を補正することを特徴とする画像形成装置。
【請求項２】
請求項１記載の画像形成装置において、
記憶手段を備え、
前記温度検知手段は、前記発光素子および前記受光素子の少なくとも一方の周辺温度を検知する手段であり、
前記光量制御手段は、前記発光素子を予め設定された所定の光出力量で発光させることによって前記像担持体に形成した前記基準パッチの濃度を前記濃度センサで測定したときに得られる出力電流値と、前記周辺温度を故意に所定の範囲内で変化させたときの前記受光素子から出力されるモニタ電流値を測定時の前記周辺温度と共に前記記憶手段に保存し、該モニタ電流値と該周辺温度との関係より前記フィードバック制御の補正値を算出する手段を有することを特徴とする画像形成装置。
【請求項３】
請求項２記載の画像形成装置において、
前記光量制御手段は、前記潜像形成条件制御手段による制御の実行時に、前記温度検知手段によって前記周辺温度を測定し、前記受光素子から出力される所定のモニタ電流値で前記発光素子の光出力量を制御して前記像担持体に前記基準パッチを形成させ、その基準パッチの前記濃度センサを用いて測定した濃度に応じて該濃度センサから出力される電流値を予め保存された電流値と比較し、その結果を予め保存された該測定温度に対応するモニタ電流値と前記周辺温度との関係に反映して、最新の該モニタ電流値と該周辺温度との関係として前記記憶手段に保存し、該最新のモニタ電流値と周辺温度との関係より前記フィードバック制御の補正値を算出することを特徴とする画像形成装置。
【請求項４】
請求項２又は３記載の画像形成装置において、
前記光量制御手段は、前記温度検知手段による検知温度の変化状況により、所定回数内で、前記潜像形成条件制御手段による制御が行われなかった周辺温度のモニタ電流については、他の温度条件でのモニタ電流値と周辺温度との関係より、該周辺温度でのモニタ電流と周辺温度との関係として前記記憶手段に保存し、最新の該モニタ電流値と周辺温度との関係より前記フィードバック制御の補正値を算出することを特徴とする画像形成装置。
【請求項５】
請求項１記載の画像形成装置において、
記憶手段を備え、
前記光量制御手段は、前記潜像形成条件制御手段による制御の実行時に、所定の温度に対して、前記記憶手段に保存されている各温度に対応するモニタ電流Ｉｍで前記発光素子を発光させて前記像担持体に前記基準パッチを形成させ、その基準パッチの濃度を前記濃度センサを用いて測定し、そのときの前記濃度センサの電流値Ｉｔｍｘが前記記憶手段に予め保存された電流値Ｉｔｍと異なる場合に、前記電流値Ｉｔｍｘと前記電流値Ｉｔｍとの関係式に基づいて前記モニタ電流Ｉｍを更新する手段を有することを特徴とする画像形成装置。
【請求項６】
請求項５記載の画像形成装置において、
前記光量制御手段は、前記潜像形成条件制御手段による制御の実行時に前記モニタ電流Ｉｍが更新されなかった場合に、前記記憶手段に予め保存されている各温度とモニタ電流Ｉｍとの関係より補正係数を作成する手段を有することを特徴とする画像形成装置。
【請求項７】
請求項５記載の画像形成装置において、
前記光量制御手段は、前記潜像形成条件制御手段による制御の実行時に前記モニタ電流Ｉｍが更新された場合に、前記記憶手段に保存されている各温度と更新された該モニタ電流を含むモニタ電流Ｉｍとの関係より補正係数を作成する手段を有することを特徴とする画像形成装置。
【請求項８】
請求項５記載の画像形成装置において、
前記光量制御手段は、前記潜像形成条件制御手段による制御の実行時に前記モニタ電流Ｉｍが更新された場合に、前記潜像形成条件制御手段による制御の前回実行時と今回実行時の温度が所定の温度差以上であった場合、該前回実行時に更新されたモニタ電流Ｉｍと該今回実行時に更新されたモニタ電流Ｉｍとの関係より補正係数を作成する手段を有することを特徴とする画像形成装置。
【請求項９】
請求項５記載の画像形成装置において、
前記光量制御手段は、前記潜像形成条件制御手段による制御の実行時に前記モニタ電流Ｉｍが更新された場合に、所定回数以内に更新されたモニタ電流Ｉｍと前記記憶手段に保存されている各温度との関係より補正係数を作成する手段を有することを特徴とする画像形成装置。
【請求項１０】
請求項６乃至９のいずれか一項に記載の画像形成装置において、
前記光量制御手段は、前記補正係数を用いて、前記発光素子の発光基準電圧を補正し、前記フィードバック制御を行うことを特徴とする画像形成装置。
【請求項１１】
請求項１記載の画像形成装置において、
前記光量制御手段は、前記潜像形成条件制御手段による制御の実行時に、前記温度検知手段の出力に応じて作成される前記フィードバック制御の補正値を用いて、前記発光素子および前記受光素子の経時劣化による光出力量の変化を補正することを特徴とする画像形成装置。
【請求項１２】
請求項１記載の画像形成装置において、
前記光量制御手段は、前記潜像形成条件制御手段による制御の実行時に、前記温度検知手段の出力に応じて作成される前記フィードバック制御の補正値を用いて、前記発光素子および前記受光素子の個体差による光出力量の変化を補正することを特徴とする画像形成装置。
【請求項１３】
光ビームを照射する発光素子と、該発光素子の光出力量を検知する受光素子と、当該画像形成装置内の温度を検知する温度検知手段と、可視像の濃度を測定する濃度センサと、記憶手段とを有し、像担持体に前記光ビームを照射し、該像担持体に静電潜像を形成し、該静電潜像を現像して得られる可視像を記録材に転写・定着して所望の記録画像を得る画像形成装置を制御するコンピュータに、
前記発光素子に制御信号に合わせた電流を与えることで変調を行うと共に、前記発光素子の光出力量を前記受光素子により検知して該発光素子の光出力量を制御するフィードバック制御を行う光量制御機能と、
前記温度検知手段による検知温度の変化に対応して、前記可視像として形成される濃度制御用の基準パッチの前記濃度センサを用いて測定した濃度に応じて次回の可視像形成時に所望の濃度を得るように前記静電潜像の形成条件を設定する制御を行う潜像形成条件制御機能とを実現させるためのプログラムであり、
前記光量制御機能は、前記潜像形成条件制御機能による制御の実行時に、前記温度検知手段の出力に応じて作成される前記フィードバック制御の補正値を用いて、前記発光素子および前記受光素子の温度変化による該発光素子の光出力量の変化を補正することを特徴とするプログラム。
【請求項１４】
請求項１３記載のプログラムにおいて、
前記温度検知手段は、前記発光素子および前記受光素子の少なくとも一方の周辺温度を検知する手段であり、
前記光量制御機能は、前記発光素子を予め設定された所定の光出力量で発光させることによって前記像担持体に形成した前記基準パッチの濃度を前記濃度センサで測定したときに得られる出力電流値と、前記周辺温度を故意に所定の範囲内で変化させたときの前記受光素子から出力されるモニタ電流値を測定時の前記周辺温度と共に前記記憶手段に保存し、該モニタ電流値と該周辺温度との関係より前記フィードバック制御の補正値を算出する機能を有することを特徴とするプログラム。
【請求項１５】
請求項１４記載のプログラムにおいて、
前記光量制御機能は、前記潜像形成条件制御機能による制御の実行時に、前記温度検知手段によって前記周辺温度を測定し、前記受光素子から出力される所定のモニタ電流値で前記発光素子の光出力量を制御して前記像担持体に前記基準パッチを形成させ、その基準パッチの前記濃度センサを用いて測定した濃度に応じて該濃度センサから出力される電流値を予め保存された電流値と比較し、その結果を予め保存された該測定温度に対応するモニタ電流値と前記周辺温度との関係に反映して、最新の該モニタ電流値と該周辺温度との関係として前記記憶手段に保存し、該最新のモニタ電流値と周辺温度との関係より前記フィードバック制御の補正値を算出することを特徴とするプログラム。
【請求項１６】
請求項１４又は１５記載のプログラムにおいて、
前記光量制御機能は、前記温度検知手段による検知温度の変化状況により、所定回数内で、前記潜像形成条件制御機能による制御が行われなかった周辺温度のモニタ電流については、他の温度条件でのモニタ電流値と周辺温度との関係より、該周辺温度でのモニタ電流と周辺温度との関係として前記記憶手段に保存し、最新の該モニタ電流値と周辺温度との関係より前記フィードバック制御の補正値を算出することを特徴とするプログラム。
【請求項１７】
請求項１３記載のプログラムにおいて、
前記光量制御機能は、前記潜像形成条件制御機能による制御の実行時に、所定の温度に対して、前記記憶手段に保存されている各温度に対応するモニタ電流Ｉｍで前記発光素子を発光させて前記像担持体に前記基準パッチを形成させ、その基準パッチの濃度を前記濃度センサを用いて測定し、そのときの前記濃度センサの電流値Ｉｔｍｘが前記記憶手段に予め保存された電流値Ｉｔｍと異なる場合に、前記電流値Ｉｔｍｘと前記電流値Ｉｔｍとの関係式に基づいて前記モニタ電流Ｉｍを更新する機能を有することを特徴とする画像形成装置。
【請求項１８】
請求項１７記載のプログラムにおいて、
前記光量制御機能は、前記潜像形成条件制御機能による制御の実行時に前記モニタ電流Ｉｍが更新されなかった場合に、前記記憶手段に予め保存されている各温度とモニタ電流Ｉｍとの関係より補正係数を作成する機能を有することを特徴とするプログラム。
【請求項１９】
請求項１７記載のプログラムにおいて、
前記光量制御機能は、前記潜像形成条件制御機能による制御の実行時に前記モニタ電流Ｉｍが更新された場合に、前記記憶手段に保存されている各温度と更新された該モニタ電流を含むモニタ電流Ｉｍとの関係より補正係数を作成する機能を有することを特徴とするプログラム。
【請求項２０】
請求項１７記載のプログラムにおいて、
前記光量制御機能は、前記潜像形成条件制御機能による制御の実行時に前記モニタ電流Ｉｍが更新された場合に、前記潜像形成条件制御機能による制御の前回実行時と今回実行時の温度が所定の温度差以上であった場合、該前回実行時に更新されたモニタ電流Ｉｍと該今回実行時に更新されたモニタ電流Ｉｍとの関係より補正係数を作成する機能を有することを特徴とするプログラム。
【請求項２１】
請求項１７記載のプログラムにおいて、
前記光量制御機能は、前記潜像形成条件制御機能による制御の実行時に前記モニタ電流Ｉｍが更新された場合に、所定回数以内に更新されたモニタ電流Ｉｍと前記記憶手段に保存されている各温度との関係より補正係数を作成する機能を有することを特徴とするプログラム。
【請求項２２】
請求項１８乃至２１のいずれか一項に記載のプログラムにおいて、
前記光量制御機能は、前記補正係数を用いて、前記発光素子の発光基準電圧を補正し、前記フィードバック制御を行うことを特徴とするプログラム。
【請求項２３】
請求項１３記載のプログラムにおいて、
前記光量制御機能は、前記潜像形成条件制御機能による制御の実行時に、前記温度検知手段の出力に応じて作成される前記フィードバック制御の補正値を用いて、前記発光素子および前記受光素子の経時劣化による光出力量の変化を補正することを特徴とするプログラム。
【請求項２４】
請求項１３記載のプログラムにおいて、
前記光量制御機能は、前記潜像形成条件制御機能による制御が行われる際に、前記温度検知手段の出力に応じて作成される前記フィードバック制御の補正値を用いて、前記発光素子および前記受光素子の個体差による光出力量の変化を補正することを特徴とするプログラム。
【請求項２５】
請求項１３乃至２４のいずれか一項に記載のプログラムが記録されたコンピュータ読み取り可能な記録媒体。
【発明の詳細な説明】
【技術分野】
【０００１】
この発明は、電子写真方式の複合機，プリンタ，ファクシミリ装置等の画像形成装置に関し、特にＬＤ（レーザダイオード）等の発光素子から射出される光ビームを用いて像担持体に静電潜像の書き込みを行う画像形成装置、その画像形成装置を制御するコンピュータ（ＣＰＵ）に実行させるプログラム、およびそのプログラムを記録したコンピュータ読み取り可能な記録媒体に関する。
【背景技術】
【０００２】
上記のような画像形成装置として、ＬＤから射出される原稿画像又は画像信号に応じて変調されたレーザ光を回転多面鏡（ポリゴンミラー）によって主走査方向に走査することにより、主走査方向と直交する副走査方向に回転する像担持体である感光体の表面（帯電装置によって予め一様に帯電されている）に静電潜像を形成させ、その静電潜像に現像装置によりトナーを付着させて可視像（トナー像）を作成し、その可視像を転写装置により用紙等の記録材に転写した後、その記録材上の可視像を定着装置により定着して所望の記録画像を得るようにしたものがある。
【０００３】
このような画像形成装置において、静電潜像の形成中にＬＤの発光量が変動して画像品質の低下を招く可能性があることが知られている。
そこで、その問題を解消するため、受光素子であるＰＤ（フォトダイオード）によって発光素子の光出力量を検知し、フィードバック制御によって発光素子の発光量（光出力量）を制御して安定化させるＡＰＣ（オートマチック・パワー・コントロール）動作が一般的に行われている（例えば特許文献１，２参照）。
【特許文献１】特開２００２−００９３９０号公報
【特許文献２】特開２００２−１９０６４１号公報
【発明の開示】
【発明が解決しようとする課題】
【０００４】
しかしながら、上記の技術において、実際、ＰＤのモニタ電流は温度変化に対して数％のばらつきを持つため、その影響でＡＰＣ動作の精度が低下してしまう。また、経時の劣化やＬＤの個体差により、そのばらつきは増加してしまう可能性がある。
従来の技術では、レーザプリンタ等で使用されているＬＤは単体なので、ＡＰＣ動作の精度が多少狂っても、画像に大きな影響は現れにくく、このためＡＰＣ動作に関してはＰＤモニタ電流の温度特性は考慮されていなかった。
【０００５】
ところが近年、１つのパッケージ内に複数の発光点を持つＬＤアレイやＶＣＳＥＬ（面発光レーザ）が使用されるようになり、ＡＰＣ動作を精密に行って各ｃｈ（チャネル）毎の光量を等しくしなければ画像に影響が現れることから、今までは問題となっていなかったＰＤモニタ電流の温度特性も考慮してＡＰＣ動作を実施する必要が生じてきた。
また、現状では、ＬＤ選定の段階でＰＤモニタ電流の温度特性に関して考慮する必要がある。
【０００６】
この発明は、上記の問題点に鑑みてなされたものであり、ＰＤ等の受光素子の出力（モニタ電流）のばらつきの有無に関係なく、常に高品質の画像を得られるようにすることを目的とする。
【課題を解決するための手段】
【０００７】
この発明は、上記の目的を達成するため、画像形成装置、その画像形成装置を制御するコンピュータに実行させるプログラム、およびそのプログラムを記録したコンピュータ読み取り可能な記録媒体を提供する。
請求項１の発明による画像形成装置は、像担持体に光ビームを照射し、該像担持体に静電潜像を形成し、該静電潜像を現像して得られる可視像を記録材に転写・定着して所望の記録画像を得る画像形成装置において、上記光ビームを照射する発光素子と、該発光素子の光出力量を検知する受光素子と、当該画像形成装置内の温度を検知する温度検知手段と、上記可視像の濃度を測定する濃度センサと、上記発光素子に制御信号に合わせた電流を与えることで変調を行うと共に、上記発光素子の光出力量を上記受光素子により検知して該発光素子の光出力量を制御するフィードバック制御を行う光量制御手段と、上記温度検知手段による検知温度の変化に対応して、上記可視像として形成される濃度制御用の基準パッチの上記濃度センサを用いて測定した濃度に応じて次回の可視像形成時に所望の濃度を得るように上記静電潜像の形成条件を設定する制御を行う潜像形成条件制御手段とを設け、上記光量制御手段が、上記潜像形成条件制御手段による制御の実行時に、上記温度検知手段の出力に応じて作成される上記フィードバック制御の補正値を用いて、上記発光素子および上記受光素子の温度変化による該発光素子の光出力量の変化を補正するものである。
【０００８】
請求項２の発明による画像形成装置は、請求項１の画像形成装置において、記憶手段を備え、上記温度検知手段を、上記発光素子および上記受光素子の少なくとも一方の周辺温度を検知する手段とし、上記光量制御手段に、上記発光素子を予め設定された所定の光出力量で発光させることによって上記像担持体に形成した上記基準パッチの濃度を上記濃度センサで測定したときに得られる出力電流値と、上記周辺温度を故意に所定の範囲内で変化させたときの上記受光素子から出力されるモニタ電流値を測定時の上記周辺温度と共に上記記憶手段に保存し、該モニタ電流値と該周辺温度との関係より上記フィードバック制御の補正値を算出する手段を備えたものである。
【０００９】
請求項３の発明による画像形成装置は、請求項２の画像形成装置において、上記光量制御手段が、上記潜像形成条件制御手段による制御の実行時に、上記温度検知手段によって上記周辺温度を測定し、上記受光素子から出力される所定のモニタ電流値で上記発光素子の光出力量を制御して上記像担持体に上記基準パッチを形成させ、その基準パッチの上記濃度センサを用いて測定した濃度に応じて該濃度センサから出力される電流値を予め保存された電流値と比較し、その結果を予め保存された該測定温度に対応するモニタ電流値と上記周辺温度との関係に反映して、最新の該モニタ電流値と該周辺温度との関係として上記記憶手段に保存し、該最新のモニタ電流値と周辺温度との関係より上記フィードバック制御の補正値を算出するものである。
【００１０】
請求項４の発明による画像形成装置は、請求項２又は３の画像形成装置において、  上記光量制御手段が、上記温度検知手段による検知温度の変化状況により、所定回数内で、上記潜像形成条件制御手段による制御が行われなかった周辺温度のモニタ電流については、他の温度条件でのモニタ電流値と周辺温度との関係より、該周辺温度でのモニタ電流と周辺温度との関係として上記記憶手段に保存し、最新の該モニタ電流値と周辺温度との関係より上記フィードバック制御の補正値を算出するものである。
【００１１】
請求項５の発明による画像形成装置は、請求項１の画像形成装置において、記憶手段を備え、上記光量制御手段に、上記潜像形成条件制御手段による制御の実行時に、所定の温度に対して、上記記憶手段に保存されている各温度に対応するモニタ電流Ｉｍで上記発光素子を発光させて上記像担持体に上記基準パッチを形成させ、その基準パッチの濃度を上記濃度センサを用いて測定し、そのときの上記濃度センサの電流値Ｉｔｍｘが上記記憶手段に予め保存された電流値Ｉｔｍと異なる場合に、上記電流値Ｉｔｍｘと上記電流値Ｉｔｍとの関係式に基づいて上記モニタ電流Ｉｍを更新する手段を備えたものである。
【００１２】
請求項６の発明による画像形成装置は、請求項５の画像形成装置において、上記光量制御手段に、上記潜像形成条件制御手段による制御の実行時に上記モニタ電流Ｉｍが更新されなかった場合に、上記記憶手段に予め保存されている各温度とモニタ電流Ｉｍとの関係より補正係数を作成する手段を備えたものである。
請求項７の発明による画像形成装置は、請求項５の画像形成装置において、上記光量制御手段に、上記潜像形成条件制御手段による制御の実行時に上記モニタ電流Ｉｍが更新された場合に、上記記憶手段に保存されている各温度と更新された該モニタ電流を含むモニタ電流Ｉｍとの関係より補正係数を作成する手段を備えたものである。
【００１３】
請求項８の発明による画像形成装置は、請求項５の画像形成装置において、上記光量制御手段に、上記潜像形成条件制御手段による制御の実行時に上記モニタ電流Ｉｍが更新された場合に、上記潜像形成条件制御手段による制御の前回実行時と今回実行時の温度が所定の温度差以上であった場合、該前回実行時に更新されたモニタ電流Ｉｍと該今回実行時に更新されたモニタ電流Ｉｍとの関係より補正係数を作成する手段を備えたものである。
請求項９の発明による画像形成装置は、請求項５の画像形成装置において、上記光量制御手段に、上記潜像形成条件制御手段による制御の実行時に上記モニタ電流Ｉｍが更新された場合に、所定回数以内に更新されたモニタ電流Ｉｍと上記記憶手段に保存されている各温度との関係より補正係数を作成する手段を備えたものである。
【００１４】
請求項１０の発明による画像形成装置は、請求項６〜９のいずれかの画像形成装置において、上記光量制御手段が、上記補正係数を用いて、上記発光素子の発光基準電圧を補正し、上記フィードバック制御を行うものである。
請求項１１の発明による画像形成装置は、請求項１の画像形成装置において、上記光量制御手段が、上記潜像形成条件制御手段による制御の実行時に、上記温度検知手段の出力に応じて作成される上記フィードバック制御の補正値を用いて、上記発光素子および上記受光素子の経時劣化による光出力量の変化を補正するものである。
請求項１２の発明による画像形成装置は、請求項１の画像形成装置において、上記光量制御手段が、上記潜像形成条件制御手段による制御の実行時に、上記温度検知手段の出力に応じて作成される上記フィードバック制御の補正値を用いて、上記発光素子および上記受光素子の個体差による光出力量の変化を補正するものである。
【００１５】
請求項１３の発明によるプログラムは、光ビームを照射する発光素子と、該発光素子の光出力量を検知する受光素子と、当該画像形成装置内の温度を検知する温度検知手段と、可視像の濃度を測定する濃度センサと、記憶手段とを有し、像担持体に上記光ビームを照射し、該像担持体に静電潜像を形成し、該静電潜像を現像して得られる可視像を記録材に転写・定着して所望の記録画像を得る画像形成装置を制御するコンピュータに、上記発光素子に制御信号に合わせた電流を与えることで変調を行うと共に、上記発光素子の光出力量を上記受光素子により検知して該発光素子の光出力量を制御するフィードバック制御を行う光量制御機能と、上記温度検知手段による検知温度の変化に対応して、上記可視像として形成される濃度制御用の基準パッチの上記濃度センサを用いて測定した濃度に応じて次回の可視像形成時に所望の濃度を得るように上記静電潜像の形成条件を設定する制御を行う潜像形成条件制御機能とを実現させるためのプログラムであり、上記光量制御機能が、上記潜像形成条件制御機能による制御の実行時に、上記温度検知手段の出力に応じて作成される上記フィードバック制御の補正値を用いて、上記発光素子および上記受光素子の温度変化による該発光素子の光出力量の変化を補正するものである。
【００１６】
請求項１４の発明によるプログラムは、請求項１３のプログラムにおいて、上記温度検知手段を、上記発光素子および上記受光素子の少なくとも一方の周辺温度を検知する手段とし、上記光量制御機能に、上記発光素子を予め設定された所定の光出力量で発光させることによって上記像担持体に形成した上記基準パッチの濃度を上記濃度センサで測定したときに得られる出力電流値と、上記周辺温度を故意に所定の範囲内で変化させたときの上記受光素子から出力されるモニタ電流値を測定時の上記周辺温度と共に上記記憶手段に保存し、該モニタ電流値と該周辺温度との関係より上記フィードバック制御の補正値を算出する機能を備えたものである。
【００１７】
請求項１５の発明によるプログラムは、請求項１４のプログラムにおいて、上記光量制御機能が、上記潜像形成条件制御機能による制御の実行時に、上記温度検知手段によって上記周辺温度を測定し、上記受光素子から出力される所定のモニタ電流値で上記発光素子の光出力量を制御して上記像担持体に上記基準パッチを形成させ、その基準パッチの上記濃度センサを用いて測定した濃度に応じて該濃度センサから出力される電流値を予め保存された電流値と比較し、その結果を予め保存された該測定温度に対応するモニタ電流値と上記周辺温度との関係に反映して、最新の該モニタ電流値と該周辺温度との関係として上記記憶手段に保存し、該最新のモニタ電流値と周辺温度との関係より上記フィードバック制御の補正値を算出するものである。
【００１８】
請求項１６の発明によるプログラムは、請求項１４又は１５のプログラムにおいて、上記光量制御機能が、上記温度検知手段による検知温度の変化状況により、所定回数内で、上記潜像形成条件制御機能による制御が行われなかった周辺温度のモニタ電流については、他の温度条件でのモニタ電流値と周辺温度との関係より、該周辺温度でのモニタ電流と周辺温度との関係として上記記憶手段に保存し、最新の該モニタ電流値と周辺温度との関係より上記フィードバック制御の補正値を算出するものである。
【００１９】
請求項１７の発明によるプログラムは、請求項１３のプログラムにおいて、上記光量制御機能に、上記潜像形成条件制御機能による制御の実行時に、所定の温度に対して、上記記憶手段に保存されている各温度に対応するモニタ電流Ｉｍで上記発光素子を発光させて上記像担持体に上記基準パッチを形成させ、その基準パッチの濃度を上記濃度センサを用いて測定し、そのときの上記濃度センサの電流値Ｉｔｍｘが上記記憶手段に予め保存された電流値Ｉｔｍと異なる場合に、上記電流値Ｉｔｍｘと上記電流値Ｉｔｍとの関係式に基づいて上記モニタ電流Ｉｍを更新する機能を備えたものである。
【００２０】
請求項１８の発明によるプログラムは、請求項１７のプログラムにおいて、上記光量制御機能に、上記潜像形成条件制御機能による制御の実行時に上記モニタ電流Ｉｍが更新されなかった場合に、上記記憶手段に予め保存されている各温度とモニタ電流Ｉｍとの関係より補正係数を作成する機能を備えたものである。
請求項１９の発明によるプログラムは、請求項１７のプログラムにおいて、上記光量制御機能に、上記潜像形成条件制御機能による制御の実行時に上記モニタ電流Ｉｍが更新された場合に、上記記憶手段に保存されている各温度と更新された該モニタ電流を含むモニタ電流Ｉｍとの関係より補正係数を作成する機能を備えたものである。
【００２１】
請求項２０の発明によるプログラムは、請求項１７のプログラムにおいて、上記光量制御機能に、上記潜像形成条件制御機能による制御の実行時に上記モニタ電流Ｉｍが更新された場合に、上記潜像形成条件制御機能による制御の前回実行時と今回実行時の温度が所定の温度差以上であった場合、該前回実行時に更新されたモニタ電流Ｉｍと該今回実行時に更新されたモニタ電流Ｉｍとの関係より補正係数を作成する機能を備えたものである。
請求項２１の発明によるプログラムは、請求項１７のプログラムにおいて、上記光量制御機能に、上記潜像形成条件制御機能による制御の実行時に上記モニタ電流Ｉｍが更新された場合に、所定回数以内に更新されたモニタ電流Ｉｍと上記記憶手段に保存されている各温度との関係より補正係数を作成する機能を備えたものである。
【００２２】
請求項２２の発明によるプログラムは、請求項１８〜２１のいずれかのプログラムにおいて、上記光量制御機能が、上記補正係数を用いて、上記発光素子の発光基準電圧を補正し、上記フィードバック制御を行うものである。
請求項２３の発明によるプログラムは、請求項１３のプログラムにおいて、上記光量制御機能が、上記潜像形成条件制御機能による制御の実行時に、上記温度検知手段の出力に応じて作成される上記フィードバック制御の補正値を用いて、上記発光素子および上記受光素子の経時劣化による光出力量の変化を補正するものである。
【００２３】
請求項２４の発明によるプログラムは、請求項１３のプログラムにおいて、上記光量制御機能が、上記潜像形成条件制御機能による制御が行われる際に、上記温度検知手段の出力に応じて作成される上記フィードバック制御の補正値を用いて、上記発光素子および上記受光素子の個体差による光出力量の変化を補正するものである。
請求項２５の発明による記録媒体は、請求項１３〜２４のいずれかのプログラムが記録されたコンピュータ読み取り可能な記録媒体である。
【発明の効果】
【００２４】
この発明によれば、画像形成装置が、潜像形成条件制御（温度検知手段による検知温度の変化に対応して、可視像として形成される濃度制御用の基準パッチの濃度センサを用いて測定した濃度に応じて次回の可視像形成時に所望の濃度を得るように静電潜像の形成条件を設定する制御）の実行時に、温度検知手段の出力に応じて作成されるフィードバック制御（発光素子に制御信号に合わせた電流を与えることで変調を行うと共に発光素子の光出力量を受光素子により検知してその光出力量を制御する動作）の補正値を用いて、発光素子および受光素子の温度変化によるその発光素子の光出力量の変化を補正するので、受光素子の出力（モニタ電流）のばらつきの有無に関係なく、常に高品質の画像を得ることができる。
【発明を実施するための最良の形態】
【００２５】
以下、この発明を実施するための最良の形態を図面に基づいて具体的に説明する。
図１は、この発明の実施形態であるレーザプリンタにおける光走査装置の構成例を示す図である。
【００２６】
このレーザプリンタでは、光走査装置（レーザ・スキャン・ユニット）内部において、ＬＤユニット１から射出されたレーザ光が回転多面鏡（以下「ポリゴンミラー」という）２によって偏向走査された後、fθレンズ３によってドラム状の感光体４の表面（図示しない帯電装置によって予め一様に帯電されている）に静電画像を形成する。この際、ＬＤユニット１が制御信号である画像信号（実際には画像信号に合わせた電流）に基づいて変調駆動される（点灯，消灯が繰り返される）ことにより、そのＬＤユニット１から対応するレーザ光が射出される。そして、そのレーザ光は、ポリゴンミラー２の矢示方向への回転に従って主走査方向に反復して走査されると同時に、感光体４が回転して副走査方向に走査されることにより、感光体４の表面に静電潜像が形成される。
【００２７】
感光体４の表面に形成された静電潜像は、帯電した現像剤（以下「トナー」という）によって現像されてトナー像（可視像）となり、更にトナーとは反対の電荷を与えられた転写紙（用紙）等の記録材が感光体４に密着させられることで、トナー像が転写材に転写される。そして、記録材が感光体４から分離した後、図示しない定着装置によって加熱・加圧されることでトナー像が記録材上に融着して定着が行われる。
ここで、感光体４上の主走査領域外に配置された同期検知センサ５は、レーザ光を検知して同期検知信号ＸＤＥＴＰを出力する。後述するＬＤ制御部は、同期検知センサ５によって得られた同期検知信号ＸＤＥＴＰを基に画像が感光体４上に書き込まれる期間である画像形成期間（有効走査期間）を割り出している。
【００２８】
図２は、図１のＬＤユニット１の構成例を示す断面図である。
このＬＤユニット１は、レーザ光を射出するＬＤ（ＬＤチップ）１１と、ＬＤ１１を固定し、ＬＤチップ１１からの放熱効率を高めるヒートシンク１２と、ＬＤ１１のレーザ光の一部を受光するＰＤ１３と、そのレーザ光を透過すると同時にＬＤ１１への異物の接触を防止するウィンドウガラス１４等によって構成され、レーザ光を射出すると同時にＰＤによって光量（光出力量）を検知するという機能を担っている。
【００２９】
図３は、図１の光走査装置を含むレーザプリンタの制御系の構成例を示すブロック図である。
このレーザプリンタにおいて、ＬＤユニット１内蔵のＰＤ１３のモニタ電流Ｉｍは光量測定用の可変抵抗ＶＲ１に流れる。これにより、コンパレータ２１の一方の入力端子にモニタ電圧Ｖ２が印加される。このモニタ電圧Ｖ２の電位は、Ｉｍ×ＶＲ１となる。また、コンパレータ２１の他方の入力端子には基準電圧Ｖ１が入力される。この基準電圧Ｖ１については後述する。
【００３０】
コンパレータ２１からの出力信号Ｖ３は、コンパレータ２１に入力されたモニタ電圧Ｖ２が基準電圧Ｖ１より小さい場合にはハイレベル“Ｈ”となり、モニタ電圧Ｖ２が基準電圧Ｖ１より大きい場合にはローレベル“Ｌ”になる。
コントロール回路２２は、この出力信号Ｖ３が“Ｈ”になると、容量切り替え用のスイッチＳＷ１をＯＮにする。
それに伴い、充電用定電流源２３はスイッチＳＷ１を介して誤差増幅器２４の一方の入力端子に接続されると共に、コンデンサＣに接続され、充電される。これによって、誤差増幅器２４の一方の入力端子に印加される電圧Ｖ４が上昇する。
【００３１】
一方、コンパレータ２１の出力信号Ｖ３が“Ｌ”になると、コントロール回路２２はスイッチＳＷ２をＯＮにする。
それに伴い、コンデンサＣに充電されていた電圧が放電用定電流源２５に放電される。これによって、誤差増幅器２４の一方の入力端子に印加される電圧Ｖ４は下降する。
【００３２】
コントロール回路２２は、Ｓ／Ｈ（サンプル／ホールド）信号によりサンプリングとホールドが切り替えられ、Ｓ／Ｈ信号が“Ｈ”のとき（画像区間）には上述したようにコンパレータ２１の出力信号Ｖ３の“Ｈ”，“Ｌ”に応じてそれぞれのスイッチＳＷ１，ＳＷ２のいずれかをＯＮにする。これに対して、Ｓ／Ｈ信号が“Ｌ”のとき（同期検知区間）にはＳＷ１，ＳＷ２の両方をＯＮにする。これにより、誤差増幅器２４の一方の入力端子に印加される電圧Ｖ４は一定値にホールドされる。
【００３３】
誤差増幅器２４では、この入力電圧Ｖ４と基準電圧Ｖｒｅｆ３が誤差増幅され、これによりトランジスタＴｒのコレクタ電流が増減してＬＤ１１の駆動電流を増減し、ＬＤ１１の光量が設定値に制御される。つまり、ＬＤ１１の光量が設定値より少ないときにはその光量が増加し、多いときには減少する。
【００３４】
このレーザプリンタ（以下「機器」ともいう）は、上述した各回路に加え、ＣＰＵ３１，メモリ３２，温度検知素子３３，濃度センサ３４，Ａ／Ｄコンバータ３５，３６，Ｄ／Ａコンバータ３７，Ｉ／Ｏ３８，セレクタ３９，および操作部４０を備えている。
ＣＰＵ３１は、このレーザプリンタ全体を統括的に制御する中央処理装置である。
メモリ３２は、ＣＰＵ３１が実行するプログラムが格納されているＲＯＭとデータを一時的に記憶するＲＡＭとからなる記憶手段であるが、不揮発性メモリやＨＤＤ（ハードディスク装置）等の不揮発性記憶媒体を加えても良い。
【００３５】
温度検知素子３３は、温度検知手段であり、少なくとも機器内の温度（機内温度）を検知する。なお、機内温度として、ＬＤ１１およびＰＤ１３の少なくとも一方の周辺温度（表面温度もしくは内部温度）を検知するようにしてもよい。この手段は、公知の技術を採用することができる。
濃度センサ３４は、トナー像（可視像）の濃度を測定する。
Ａ／Ｄコンバータ３５，３６は、アナログ信号をデジタル信号に変換する。
Ｄ／Ａコンバータ３７は、デジタル信号をアナログ信号に変換する。
【００３６】
Ｉ／Ｏ３８は、操作部４０との間の信号の入出力を制御する。
セレクタ３９は、コンパレータ２１の一方の入力端子に入力される基準電圧Ｖ１を切り替える。つまり、予め設定された基準電圧Ｖｒｅｆ１およびＤ／Ａコンバータ３７からの基準電圧Ｖｒｅｆ２を選択的に基準電圧Ｖ１としてコンパレータ２１の一方の入力端子に入力させる。
操作部４０は、ユーザによって各種操作を行うための入力部と、操作結果等の情報を表示するための表示部とからなる。
【００３７】
このように構成されたレーザプリンタでは、ＣＰＵ３１が、予めＬＤ１１を所定の光量で発光させ、感光体４上に濃度制御用の基準パッチ（以下「基準濃度パッチ」ともいう）を作成し、その濃度を濃度センサ３４により測定し、そのときの濃度センサ３４の電流Ｉｍの値をメモリ３２（実際にはＲＡＭ）に保存する。
また、機内温度（ＬＤ１１又はＰＤ１３の周辺温度等）を複数の温度条件にした場合の各機内温度（以下単に「温度」ともいう）での所定光量に対するＰＤ１３のモニタ電流（以下「ＰＤ１３のモニタ電流」を「ＰＤモニタ電流」という）の値をメモリ３２に保存する。
【００３８】
さらに、メモリ３２に保存されたＰＤモニタ電流値により、補正係数ｋを作成し、温度変化によるＰＤモニタ電流値の変化を補正する。補正係数ｋの作成方法については、後述する。
さらにまた、メモリ３２に格納されたＰＤモニタ電流値を更新する処理も行う。
したがって、ＣＰＵ３１が、メモリ３２内のプログラムを実行し、機器を制御することにより、この発明に関わる光量制御手段および潜像形成条件制御手段としての機能を実現することができる。
【００３９】
図４は、図３のＣＰＵ３１によるこの発明に関わる制御の一例を示すフローチャートである。
ＣＰＵ３１は、静電潜像の形成条件を設定する制御（以下「潜像形成条件制御」という）の実行に先立ち、温度Ｔの測定を行い、その後潜像形成条件制御の実行を開始する。
そして、潜像形成条件制御実行時に、メモリ３２に予め格納されている所定のＰＤモニタ電流ＩｍでＬＤ１１を発光させ、基準濃度パッチを生成（作成）する。なお、メモリ３２には、上述した予め作成された各温度と各ＰＤモニタ電流との関係を示すデータ「温度−Ｉｍ」が格納されている。
【００４０】
次いで、その基準濃度パッチの濃度を濃度センサ３４を用いて測定し（濃度センサ３４で読み取り）、そのときの濃度センサ３４の電流値（測定値）Ｉｔｍｘとメモリ３２に予め格納されている所定の濃度センサ電流Ｉｔｍとを比較し、ＩｔｍｘがＩｔｍとが異なる場合に、現在の測定温度Ｔ（例えば３０℃）でのモニタ電流補正値Ｉｍｘを次式によって求める。
Ｉｍｘ＝（Ｉｔｍｘ／Ｉｍ）×Ｉｍ（Ｔ）
【００４１】
そして、メモリ３２に格納されているデータ「温度−Ｉｍ」中の測定温度Ｔに対応するＰＤモニタ電流Ｉｍを求めたモニタ電流補正値Ｉｍｘの値に更新（補正）する。つまり、メモリ３２にＰＤモニタ電流Ｉｍとして求めたモニタ電流補正値Ｉｍｘの値を測定温度Ｔに対応付けて保存する。よって、静電潜像の新たな形成条件が設定されたことになる。
【００４２】
なお、ＣＰＵ３１が、以下の（１）〜（５）に示すような制御を行うようにしてもよい。
（１）上述した通り、元々メモリ３２に保存されているＰＤモニタ電流Ｉｍを潜像形成条件制御の実行時に随時更新する制御を行うが、その制御を所定（規定）回数実行しても更新されない温度に対応するＰＤモニタ電流Ｉｍについては、線形近似によりそのＰＤモニタ電流Ｉｍの値（最新の近似値）を求め、その値に更新する。
【００４３】
（２）ＰＤモニタ電流の補正値算出プログラムを実行し、補正係数ｋよりＬＤ１１およびＰＤ１３の温度変化によるＰＤモニタ電流値の変化を補正するが、その補正係数ｋの作成方法は次の通りである。例えば、潜像形成条件制御の実行時に、ＰＤモニタ電流値が更新されなかった場合、元々メモリ３２に保存されているデータ「温度−Ｉｍ」を線形近似し、補正係数ｋを作成する。
【００４４】
（３）ＰＤモニタ電流の補正値算出プログラムを実行し、補正係数ｋよりＬＤ１１およびＰＤ１３の温度変化によるＰＤモニタ電流値の変化を補正するが、その補正係数ｋの作成方法は次の通りである。例えば、潜像形成条件制御の実行時に、ＰＤモニタ電流値が更新された場合、その更新されたモニタ電流値を含むデータ「温度−Ｉｍ」を線形近似し、補正係数ｋを作成する。
【００４５】
（４）ＰＤモニタ電流の補正値算出プログラムを実行し、補正係数ｋよりＬＤ１１およびＰＤ１３の温度変化によるＰＤモニタ電流値の変化を補正するが、その補正係数ｋの作成方法は次の通りである。例えば、潜像形成条件制御の実行時に、ＰＤモニタ電流値が更新された場合、その更新された最新の２つの値（潜像形成条件制御の前回実行時に更新された値と今回実行時に更新された値）の傾きより補正係数ｋを作成する。その補正係数ｋの計算式は、以下の通りである。但し、２つの値の温度差が極端に小さかった場合には傾きが大きくなってしまうため、２つの値の温度差は所定以上の場合とする。
ｋ＝{Ｉｍ（ｙ）−Ｉｍ（ｘ）}／{Ｔ（ｙ）−Ｔ（ｘ）}
【００４６】
（５）ＰＤモニタ電流の補正値算出プログラムを実行し、補正係数ｋよりＬＤ１１およびＰＤ１３の温度変化によるＰＤモニタ電流値の変化を補正するが、その補正係数ｋの作成方法は次の通りである。例えば、潜像形成条件制御の実行時に、ＰＤモニタ電流値が更新された場合、最近更新された所定個数（例えば「５」）以内のＰＤモニタ電流値を線形近似し、補正係数ｋを作成する。所定個数以内としたのは、大幅に古い値を演算に加えると誤差が生じてしまうためである。
【００４７】
ここで、コンパレータ２１に入力される基準電圧Ｖｒｅｆ２は、補正係数ｋを用いて以下の計算式によって算出することができる。
Ｖｒｅｆ２＝ｋ×Ｖｒｅｆ１
ＣＰＵ３１は、その計算式によって算出した基準電圧Ｖｒｅｆ２をＤ／Ａコンバータ３７に出力する。
【００４８】
それによって、その基準電圧Ｖｒｅｆ２は、Ｄ／Ａコンバータ３７によってＤ／Ａ変換され、アナログ信号としてセレクタ３９へ出力され、更にそのセレクタ３９によって選択されることにより、基準電圧Ｖ１としてコンパレータ２１の一方の入力端子に入力される。
このように、コンパレータ２１の基準電圧ＶＩを温度で補正された値にすることにより、ＬＤ１１の光量を適正なものにすることが可能となる。
なお、ＣＰＵ３１がセレクタ３９を切り替えることにより、基準電圧Ｖｒｅｆ１をセレクタ３９に選択させ、コンパレータ２１の一方の入力端子に入力させることもできる。
【００４９】
この実施形態によれば、ＬＤユニット１内蔵ＰＤ１３のモニタ電流を用いたフィードバック制御によりＡＰＣ動作を行うレーザプリンタにおいて、ＰＤ１３のモニタ電流の補正値を用いることにより、ＡＰＣ動作の精度を向上させることができる。
また、この補正値を潜像形成条件制御の実行時に更新することにより、常に最新の補正値でＰＤ１３のモニタ電流の補正を行うことができる。
【００５０】
それによって、ＬＤ１１（発光素子）およびＰＤ１３（受光素子）の個体差や経時劣化による光出力量の変化（誤差）を補正することができる。
以上より、濃度の適正な、高品質の画像を得ることが可能となる。
また、一方で低コストでのレーザプリンタの開発を考えたときに、ＰＤモニタ電流の温度特性が補正可能なので、ＬＤ選定の段階でＰＤモニタ電流の温度特性に関して考慮する必要がなくなり、より低価格のＬＤを採用できる可能性がある。
【００５１】
なお、この実施形態においては、発光素子としてＬＤを用いたが、ＬＤアレイやＶＣＳＥＬ（面発光レーザ）等の他の発光素子を用いることもできる。
また、この実施形態においては、前述したように生成したレーザ光を反射によって走査する走査手段としてポリゴンミラーを用いたが、ピエゾ素子やＭＥＭＳ（Ｍｉｃｒｏ Ｅｌｅｃｔｒｏ−Ｍｅｃｈａｎｉｃａｌ Ｓｙｓｔｅｍｓ）技術を利用した回折格子空間変調器等を用いてもよい。
【００５２】
以上、この発明をレーザプリンタに適用した実施形態について説明したが、この発明はこれに限らず、ＬＥＤプリンタ等の他の光プリンタには勿論、電子写真方式を用いた複合機，複写機，ファクシミリ装置，プリンタ等の各種画像形成装置に適用可能である。
【００５３】
〔この発明に関するプログラム〕
このプログラムは、画像形成装置を制御するＣＰＵ（コンピュータ）に、この発明に関わる機能である光量制御手段および潜像形成条件制御手段としての機能を実現させるためのプログラムであり、このようなプログラムをＣＰＵに実行させることにより、上述したような効果を得ることができる。
【００５４】
このようなプログラムは、はじめからＲＯＭあるいはＨＤＤ等の記憶手段に格納しておいてもよいが、記録媒体であるＣＤ−ＲＯＭあるいはフレキシブルディスク，ＭＯ，ＣＤ−Ｒ，ＣＤ−ＲＷ，ＤＶＤ＋Ｒ，ＤＶＤ＋ＲＷ，ＤＶＤ−Ｒ，ＤＶＤ−ＲＷ，又はＤＶＤ−ＲＡＭや、ＥＥＰＲＯＭ、メモリカード等の不揮発性記録媒体（メモリ）に記録して提供することもできる。その不揮発性記録媒体に記録されたプログラムを画像形成装置にインストールしてＣＰＵに実行させるか、ＣＰＵにその不揮発性記録媒体からこのプログラムを読み出して実行させることにより、上述した各手順を実行させることができる。
さらに、ネットワークに接続され、プログラムを記録した記録媒体を備える外部機器あるいはプログラムを記憶手段に記憶した外部機器からダウンロードして実行させることも可能である。
【産業上の利用可能性】
【００５５】
以上の説明から明らかなように、この発明によれば、受光素子の出力のばらつきの有無に関係なく、常に高品質の画像を得ることができる。したがって、高品質の画像を安定して取得可能な画像形成装置を提供できる。また、この発明は、光ディスクや光通信などの情報・通信分野において使用されるレーザビーム光源に応用することも可能である。
【図面の簡単な説明】
【００５６】
【図１】この発明の実施形態であるレーザプリンタにおける光走査装置の構成例を示す図である。
【図２】図１のＬＤユニット１の構成例を示す断面図である。
【図３】図１の光走査装置を含むレーザプリンタの制御系の構成例を示すブロック図である。
【図４】図３のＣＰＵ３１によるこの発明に関わる制御の一例を示すフロー図である。
【符号の説明】
【００５７】
１：ＬＤユニット    ２：ポリゴンミラー    ３：fθレンズ    ４：感光体
５：同期検知センサ    １１：ＬＤ    １２：ヒートシンク    １３：ＰＤ
１４：ウィンドウガラス    ２１：コンパレータ    ２２：コントロール回路
２３：充電用定電流源    ２４：誤差増幅器    ２５：放電用定電流源    ３１：ＣＰＵ
３２：メモリ    ３３：温度検知素子    ３４：濃度センサ
３５，３６：Ａ／Ｄコンバータ    ３７：Ｄ／Ａコンバータ    ３８：Ｉ／Ｏ
３９：セレクタ    ４０：操作部
【図１】
2008273094.tif 000003
【図２】
2008273094.tif 000004
【図３】
2008273094.tif 000005
【図４】
2008273094.tif 000006